Podtech/llm-jp-corpus-v4-ja_patent huggingface dataset:
【手続補正書】
【提出日】平成18年4月28日(2006.4.28)
【手続補正１】
【補正対象書類名】明細書
【補正対象項目名】発明の名称
【補正方法】変更
【補正の内容】
【発明の名称】放射線画像撮影装置
【手続補正２】
【補正対象書類名】明細書
【補正対象項目名】特許請求の範囲
【補正方法】変更
【補正の内容】
【特許請求の範囲】
【請求項１】
静止画撮影、動画撮影のいずれかを選択する選択手段と、
被写体からの散乱放射線を吸収するための複数のグリッドと、
選択手段の選択に基づいて複数のグリッドから１つのグリッドを選択するグリッド選択手段と、
前記選択されたグリッドを介して、放射線を電気信号に変換する２次元検出器と、
前記電気信号を増幅する増幅器と、
前記増幅器の増幅度を設定する設定手段と、
前記グリッドによって生じる前記画像上のグリッド縞を低減するグリッド縞低減手段と、
前記選択手段、前記２次元検出器、前記設定手段、前記グリッド縞低減手段を制御する制御手段とを備え、
前記制御手段は、動画撮影が選択された場合には、静止画撮影が選択された場合に対して、前記２次元検出器の読み取り画素ピッチをも大きくし、かつ前記増幅器の増幅度を高くすることを特徴とする放射線画像撮影装置。
【請求項２】
グリッド縞低減手段のパラメータを読み取り画素ピッチに応じて変更することを特徴とする請求項１に記載の放射線画像撮影装置。
【請求項３】
前記制御手段は、グリッドの格子比が低い場合は、グリッドの格子比が高い場合に比較し、前記増幅器の増幅度を高く設定することを特徴とする請求項１に記載の放射線画像撮影装置。
【請求項４】
被写体に向けて放射線を照射する照射手段を有し、
動画撮影時における照射手段の管電圧は、静止画撮影時における管電圧より低いことを特徴とする請求項１に記載の放射線画像撮影装置。
【請求項５】
被写体に向けて放射線を照射する照射手段を有し、
動画撮影時における照射手段の管電流は、静止画撮影時における管電流より低いことを特徴とする請求項１に記載の放射線画像撮影装置。
【手続補正３】
【補正対象書類名】明細書
【補正対象項目名】００１２
【補正方法】変更
【補正の内容】
【００１２】
本発明は、このような事情を考慮してなされたものであり、撮影時又は透視時のグリッドを好適に設定し、最適の撮影条件で被検体の透視及び撮影をすることができる放射線画像撮影装置を提供することを目的とする。
【手続補正４】
【補正対象書類名】明細書
【補正対象項目名】００１３
【補正方法】変更
【補正の内容】
【００１３】
【課題を解決するための手段】
上記課題を解決するため、本発明に係る放射線画像撮影装置は、静止画撮影、動画撮影のいずれかを選択する選択手段と、
被写体からの散乱放射線を吸収するための複数のグリッドと、
選択手段の選択に基づいて複数のグリッドから１つのグリッドを選択するグリッド選択手段と、
前記選択されたグリッドを介して、放射線を電気信号に変換する２次元検出器と、
前記電気信号を増幅する増幅器と、
前記増幅器の増幅度を設定する設定手段と、
前記グリッドによって生じる前記画像上のグリッド縞を低減するグリッド縞低減手段と、
前記選択手段、前記２次元検出器、前記設定手段、前記グリッド縞低減手段を制御する制御手段とを備え、
前記制御手段は、動画撮影が選択された場合には、静止画撮影が選択された場合に対して、前記２次元検出器の読み取り画素ピッチをも大きくし、かつ前記増幅器の増幅度を高くすることを特徴とする。
【手続補正５】
【補正対象書類名】明細書
【補正対象項目名】００１４
【補正方法】変更
【補正の内容】
【００１４】
上記放射線画像撮影装置において、グリッド縞低減手段のパラメータを読み取り画素ピッチに応じて変更することは好適である。また、前記制御手段が、グリッドの格子比が低い場合は、グリッドの格子比が高い場合に比較し、前記増幅器の増幅度を高く設定することも好適である。更に、被写体に向けて放射線を照射する照射手段を有し、動画撮影時における照射手段の管電圧は、静止画撮影時における管電圧より低いことも好適である。被写体に向けて放射線を照射する照射手段を有し、動画撮影時における照射手段の管電流は、静止画撮影時における管電流より低いことも好適である。
【手続補正書】
【提出日】平成18年5月9日(2006.5.9)
【手続補正１】
【補正対象書類名】明細書
【補正対象項目名】特許請求の範囲
【補正方法】変更
【補正の内容】
【特許請求の範囲】
【請求項１】
プレイヤによって操作され、操作情報を操作データとして出力する操作装置を複数接続可能であり、表示手段に画像を表示することによってゲームを実行するゲーム機であって、
前記操作装置の接続状態を検出する接続状態検出手段、
オブジェクトを前記表示手段に表示するためのオブジェクトデータを出力するオブジェクトデータ出力手段、
前記接続状態検出手段によって検出された接続状態に応じて、プレイヤ毎に固有の方向を割り当てる方向決定手段、
前記プレイヤ毎に実行すべきイベントが発生したときに、該イベントに関係するプレイヤが前記方向決定手段によってどのような方向を割り当てられたかに基づいて、前記オブジェクトデータ出力手段によって出力されるオブジェクトデータを決定するオブジェクトデータ決定手段、および
前記オブジェクトデータ出力手段によって出力されるオブジェクトデータに基づいて、前記表示手段に画像を表示するための画像データを出力する画像データ出力手段を備えたゲーム機。
【請求項２】
前記ゲーム機は、前記操作装置を接続する複数の接続手段をさらに備え、
前記複数の接続手段は、それぞれ直線的に並べて設けられており、
前記接続状態検出手段は、前記複数の接続手段のうち、どの接続手段に前記操作装置が接続されているかを検出し、
前記方向決定手段は、前記接続手段の並び順に基づいて、該接続手段に接続されている操作装置を操作しているプレイヤ毎に割り当てる方向を決定することを特徴とする請求項１記載のゲーム機。
【請求項３】
前記方向決定手段は、前記接続手段に接続されている操作装置の数に応じて前記方向を変化させることを特徴とする請求項２記載のゲーム機。
【請求項４】
前記オブジェクトは、向きが設定されており、
前記オブジェクトデータ決定手段は、イベントに対応するプレイヤの方向に前記オブジェクトが向くようにオブジェクトデータを決定することを特徴とする請求項１記載のゲーム機。
【請求項５】
前記オブジェクトは、目を含む人物を表すオブジェクトであり、
前記オブジェクトデータ決定手段は、イベントに対応するプレイヤの方向に前記オブジェクトの視線が向くようにオブジェクトデータを決定することを特徴とする請求項１記載のゲーム機。
【請求項６】
前記オブジェクトは、武器を表すオブジェクトであり、
前記オブジェクトデータ決定手段は、イベントに対応するプレイヤの方向に応じて、武器の発射位置を決定するようにオブジェクトデータを決定することを特徴とする請求項１記載のゲーム機。
【請求項７】
プレイヤによって操作され、操作情報を操作データとして出力する１以上の操作装置を接続させ、表示手段に画像を表示することによってゲームを実行するゲーム機を、
前記操作装置の接続状態を検出する接続状態検出手段、
オブジェクトを前記表示手段に表示するためのオブジェクトデータを出力するオブジェクトデータ出力手段、
前記接続状態検出手段によって検出された接続状態に応じて、プレイヤ毎に固有の方向を割り当てる方向決定手段、
前記プレイヤ毎に実行すべきイベントが発生したときに、該イベントに関係するプレイヤが前記方向決定手段によってどのような方向を割り当てられたかに基づいて、前記オブジェクトデータ出力手段によって出力されるオブジェクトデータを決定するオブジェクトデータ決定手段、および
前記オブジェクトデータ出力手段によって出力されるオブジェクトデータに基づいて、前記表示手段に画像を表示するための画像データを出力する画像データ出力手段として機能させるゲームプログラム。
【請求項８】
前記ゲーム機は、前記１以上の操作装置を接続する複数の接続手段をさらに備え、
前記複数の接続手段は、それぞれ直線的に並べて設けられており、
前記接続状態検出手段は、前記複数の接続手段のうち、どの接続手段に前記操作装置が接続されているかを検出し、
前記方向決定手段は、前記接続手段の並び順に基づいて、該接続手段に接続されている操作装置を操作しているプレイヤ毎に割り当てる方向を決定することを特徴とする請求項７記載のゲームプログラム。
【請求項９】
前記方向決定手段は、前記接続手段に接続されている操作装置の数に応じて前記方向を変化させることを特徴とする請求項８記載のゲームプログラム。
【請求項１０】
前記オブジェクトは、向きが設定されており、
前記オブジェクトデータ決定手段は、イベントに対応するプレイヤの方向に前記オブジェクトが向くようにオブジェクトデータを決定することを特徴とする請求項７記載のゲームプログラム。
【請求項１１】
前記オブジェクトは、目を含む人物を表すオブジェクトであり、
前記オブジェクトデータ決定手段は、イベントに対応するプレイヤの方向に前記オブジェクトの視線が向くようにオブジェクトデータを決定することを特徴とする請求項７記載のゲームプログラム。
【請求項１２】
前記オブジェクトは、武器を表すオブジェクトであり、
前記オブジェクトデータ決定手段は、イベントに対応するプレイヤの方向に応じて、武器の発射位置を決定するようにオブジェクトデータを決定することを特徴とする請求項７記載のゲームプログラム。
【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  
遊技球が転動可能であるステージを備えた遊技機において、
識別情報を変動表示する識別情報変動表示手段の表示画面の所定周囲部分に配設される枠体を備え、
前記枠体は、
前記ステージと、
導入された遊技球を一方向のみに流通させて前記ステージに導くための遊技球通路部とを備え
前記ステージでの遊技球が接触可能な表面側とは反対側の裏面側であって、かつ、前記ステージにおける前記裏面側が表面側から透視可能である所定箇所に、前記ステージを装飾する装飾手段を設け、
前記装飾手段は、前記ステージとは別体のものであり、前記ステージの裏面側の当該箇所に取り付け可能なものである
ことを特徴とする遊技機。
【請求項２】  
請求項１に記載の遊技機において、
前記ステージは、遊技球が転動する転動面を複数個備え、
前記複数個の転動面は、奥手側から手前側に向かって段々と低くなるように階段状に配設されており、
前記複数個の転動面は、主として幅方向に遊技球が転動する主転動領域を備えており、
前記転動面間に形成される蹴上げ面での遊技球が接触する表面側とは反対側の裏面側の所定部分を前記箇所として前記装飾手段を設けていることを特徴とする遊技機。
【請求項３】  
請求項１に記載の遊技機において、
さらに、前記装飾手段は、前記ステージの裏面側の当該箇所に近い側の表面部分に、装飾のための装飾領域を有しており、
前記装飾領域の所定箇所には、遊技状態を教示するための複数個の透光部を有しており、
前記装飾手段の背面側に設けられ、前記装飾手段の前記複数個の透光部ごとに対応させて複数個の発光部を備えた発光手段を備えている
ことを特徴とする遊技機。
【手続補正書】
【提出日】平成18年8月17日(2006.8.17)
【手続補正１】
【補正対象書類名】明細書
【補正対象項目名】特許請求の範囲
【補正方法】変更
【補正の内容】
【特許請求の範囲】
【請求項１】  
導入された遊技球を一方向のみに流通させて所定部位に導くための遊技球通路部を備えた遊技機において、
前記遊技球通路部の所定箇所に、前記遊技球通路部内に光を取り入れるための光導入手段を備え、
識別情報を変動表示する識別情報変動表示手段の表示画面の所定周囲部分に配設される枠体を備え、
前記枠体は、
前記光導入手段を有する前記遊技球通路部と、
前記遊技球通路部により導出された遊技球が転動する転動面と
を備えており、
前記光導入手段は、前記遊技球通路部の所定箇所に形成された開口部であり、前記遊技球通路部における前記識別情報変動表示手段の表示画面に近い側面部分に設けられていることを特徴とする遊技機。
【請求項２】  
請求項１に記載の遊技機において、
前記光導入手段は、前記遊技球通路部の所定箇所に形成された、前記遊技球通路部の遊技球の流通方向に並設された複数個の開口部であることを特徴とする遊技機。
【手続補正書】
【提出日】平成18年6月15日(2006.6.15)
【手続補正１】
【補正対象書類名】特許請求の範囲
【補正対象項目名】請求項１
【補正方法】変更
【補正の内容】
【請求項１】
口蓋プレート、
前記口蓋プレート上に設けられて少なくとも舌が接触したかどうかを検知できる複数のセンサ、および
アンテナを通して無線でセンサ信号を電動車椅子に送信するデータ送信装置を備える、口蓋プレートを用いたデータ入力装置であって、
前記複数のセンサの各々に前記電動車椅子についての異なる制御情報を割り当てたことを特徴とする、口蓋プレートを用いたデータ入力装置。
【手続補正２】
【補正対象書類名】明細書
【補正対象項目名】０００５
【補正方法】変更
【補正の内容】
【０００５】
この発明は、口蓋プレート、口蓋プレート上に設けられて少なくとも舌が接触したかどうかを検知できる複数のセンサ、およびアンテナを通して無線でセンサ信号を電動車椅子に送信するデータ送信装置を備える、口蓋プレートを用いたデータ入力装置であって、複数のセンサの各々に電動車椅子についての異なる制御情報を割り当てたことを特徴とする、口蓋プレートを用いたデータ入力装置である。
【手続補正３】
【補正対象書類名】明細書
【補正対象項目名】０００６
【補正方法】変更
【補正の内容】
【０００６】
この口蓋プレートを用いたデータ入力装置では、口蓋プレート上にセンサが設けられる。センサは舌が接触したかどうかを検出する。データ送信装置は、センサの出力、つまり舌がセンサに接触している態様（接触態様）に応じたセンサ信号（データ）を無線で電動車椅子に送信する。電動車椅子では、送信されたセンサ信号に従って処理または動作を制御する。たとえば、制御情報は、少なくとも前進、後退、左旋回および右旋回を含む。
【手続補正４】
【補正対象書類名】明細書
【補正対象項目名】０００７
【補正方法】変更
【補正の内容】
【０００７】
たとえば、複数のオン／オフセンサを用いれば、オン／オフで表わされる接触態様のセンサ信号が電動車椅子に送信される。
【手続補正５】
【補正対象書類名】明細書
【補正対象項目名】０００８
【補正方法】変更
【補正の内容】
【０００８】
また、圧力センサを用いれば、接触しているセンサに加えて、舌がそのセンサに接触している圧力（接触圧力）を検出することができるので、電動車椅子はセンサ信号に従って連続的（アナログ的）に変化する処理または動作を制御することができる。
【手続補正６】
【補正対象書類名】明細書
【補正対象項目名】０００９
【補正方法】変更
【補正の内容】
【０００９】
さらに、アンテナおよびデータ送信装置をともに口蓋プレート中に密封するようにすれば、口蓋プレートからはみ出す部材がないので、ユーザが装着した際の不快感を少なくでき、必要以上のストレスを感じさせることがない。しかも、唾液や外気に含まれる湿気などによりアンテナが錆びることがない。
【手続補正７】
【補正対象書類名】明細書
【補正対象項目名】００１０
【補正方法】変更
【補正の内容】
【００１０】
この発明によれば、舌の接触態様に対応するセンサ信号を電動車椅子に送信するので、これに応じて電動車椅子が処理または動作を実行することができる。つまり、舌の接触態様によって電動車椅子を制御することができる。
【手続補正８】
【補正対象書類名】明細書
【補正対象項目名】００２８
【補正方法】変更
【補正の内容】
【００２８】
たとえば、データ入力装置１０は、電動車椅子のデータ入力装置に適用できる。
【手続補正９】
【補正対象書類名】明細書
【補正対象項目名】００２９
【補正方法】変更
【補正の内容】
【００２９】
このデータ入力装置１０を電動車椅子の制御に用いる場合には、たとえばセンサ２０ａ〜２０ｈにそれぞれ方向を割り当てることにより、舌を使って運転することができる。たとえば、センサ２０ａが右前方であり、２０ｂが直進であり、２０ｃが左前方である。また、センサ２０ｄが右後方であり、２０ｅが後退であり、２０ｆが左後方である。さらに、センサ２０ｇが右旋回であり、２０ｆが左旋回である。したがって、舌が接触したいずれかのセンサ２０ａ〜２０ｆに応じて電動車椅子を操作することができる。この場合には、安全のため、前方に進む速度および後方に進む速度が各々一定の値に設定され、センサ２０ａ〜２０ｈをオン／オフすることによって、方向のみが制御される。また、舌がセンサ２０ａ〜２０ｈのいずれにも触れていない場合には、電動車椅子が停止される。したがって、電動車椅子が動いている時に舌がセンサ２０ａ〜２０ｈから離れると、制動動作に移行される。
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】変更
【補正の内容】
【００３２】
この実施例によれば、舌の接触態様に対応するデータを電動車椅子に送信するので、これに応じて電動車椅子が処理または動作を実行することができる。つまり、舌の接触態様に応じて電動車椅子を制御することができる。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】
ガントリーから脱着することができ、被検体を搭載して移動可能な医療用寝台を備えた医療用画像診断装置において、
前記医療用寝台は、前記ガントリーに接続するためのガイド上にマーカー光線を照射する照射手段を備えていることを特徴とする医療用画像診断装置。
【請求項２】
前記医療用画像診断装置が磁気共鳴イメージング装置である請求項１に記載の医療用画像診断装置。
【手続補正２】
【補正対象書類名】明細書
【補正対象項目名】００１２
【補正方法】変更
【補正の内容】
【００１２】
【課題を解決するための手段】 
前記課題を解決するために、本発明は以下の様に構成される。
ガントリーから脱着することができ、被検体を搭載して移動可能な医療用寝台を備えた医療用画像診断装置において、 前記医療用寝台は、前記ガントリーに接続するためのガイド上にマーカー光線を照射する照射手段を備えている。
好ましくは、前記医療用画像診断装置が磁気共鳴イメージング装置である。
これにより、医療用寝台を手押しでガントリーへ接続することを容易にかつ正確で安全に行うことができる。
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】
遊技球を発射する発射手段と、
発射された遊技球が案内される遊技領域と、
前記遊技領域において、遊技球が入賞可能な入賞部とを備え、
前記入賞部への遊技球の入賞に基づき、所定の遊技価値を付与するとともに、所定の遊技状態を導出する遊技機であって、
上下に並んだ２つの前記入賞部を備え、
前記両入賞部のうちの一方から遊技球が入賞した場合に付与され得る遊技価値と、他方から入賞した場合に付与され得る遊技価値とが異なる構成とし、
前記両入賞部のうち上位に位置する第１入賞部を、遊技球が常時入賞可能な構成とし、
前記両入賞部のうち下位に位置する第２入賞部は、所定入球条件の成立に基づき第１の状態から第２の状態となる左右一対の突出片を備え、
前記両突出片が前記第２の状態にある場合には、前記各突出片の先端部と前記第１入賞部との間から遊技球が第２入賞部へ入賞可能な状態となり、
前記両突出片が前記第１の状態にある場合には、前記第１入賞部の配置位置における上下方向を基準線として、当該基準線に対して前記両突出片の停止態様が非対称となるとともに、前記両突出片のうちの少なくとも一方の先端部と前記第１入賞部との間を遊技球が通過可能な状態となることを特徴とする遊技機。
【請求項２】
前記両突出片が前記第１の状態にある場合には、前記両突出片のうちの一方は、その先端部と前記第１入賞部との間を遊技球が通過不能な状態となり、他方はその先端部と前記第１入賞部との間を遊技球が通過可能な状態となることを特徴とする請求項１に記載の遊技機。
【請求項３】
前記第１入賞部及び第２入賞部は一体形成されていることを特徴とする請求項１又は２に記載の遊技機。
【請求項４】
発射された遊技球を遊技領域へ案内する案内手段を備え、
前記両突出片が前記第１の状態にある場合には、左右方向に対して、前記案内手段が設けられた側とは反対側の前記突出片の先端部と前記第１入賞部との間を遊技球が通過可能な状態となることを特徴とする請求項１乃至３のいずれかに記載の遊技機。
【請求項５】
複数の識別情報を変動表示可能な特別表示手段を備え、
前記各入賞部への遊技球の入賞に基づき、前記識別情報の変動が開始される遊技状態が導出され、
前記特別表示手段の下方に、前記両入賞部を設けたことを特徴とする請求項１乃至４のいずれかに記載の遊技機。
【請求項６】
前記各入賞部への遊技球の入賞に起因する特定発生条件の成立に基づき、特別遊技状態が発生することを特徴とする請求項１乃至５のいずれかに記載の遊技機。
【手続補正書】
【提出日】平成18年4月17日(2006.4.17)
【手続補正１】
【補正対象書類名】明細書
【補正対象項目名】請求項３
【補正方法】変更
【補正の内容】
【請求項３】  前記解析手段は、前記強度が高いほど、前記血管内に形成されたプラークの脂質の割合が高いと判断することを特徴とする請求項２に記載の超音波診断装置。
【手続補正２】
【補正対象書類名】明細書
【補正対象項目名】００５０
【補正方法】変更
【補正の内容】
【００５０】
次に、ステップＳ１３では、時系列歪値データ解析部２３０は、ステップＳ１２において時系列に沿って算出された複数の時点での瞬時的な歪値からなる時系列歪値データを用いて、評価対象箇所の状態を解析する。この結果、プラーク等の病変の有無に加え、プラークの力学的特性に基づくプラークの性質および状態が判断される。具体的には、プラークがハードプラークであるかソフトプラークであるかが判断される。
【手続補正３】
【補正対象書類名】明細書
【補正対象項目名】０１３５
【補正方法】変更
【補正の内容】
【０１３５】
（周波数の強度による解析）
まず、時系列弾性率データの特定の周波数強度に基づく解析が実行される（ステップＳ２０４）。すなわち、時系列弾性率データ解析部４３０は、時系列弾性率データを複数の周波数成分に分解し、特定の周波数成分における強度に基づいて、評価対象箇所の状態を解析する。たとえば、心拍の周波数ωｃ付近の周波数強度が算出される。周波数強度が大きく、弾性率が大きいほど、評価対象箇所が硬いことを意味する。すなわち、ソフトプラークの場合の方がハードプラークの場合に比べて、弾性率が小さくなる。なお、ステップＳ２０４の処理は、処理対象となる時系列データが時系列弾性率データであることに基づく違いを除いて、図３のステップＳ１０４の処理と同様である。したがって、詳しい説明を省略する。
【手続補正書】
【提出日】平成18年4月21日(2006.4.21)
【手続補正１】
【補正対象書類名】明細書
【補正対象項目名】００２２
【補正方法】変更
【補正の内容】
【００２２】
左ホルダ装置６４と右ホルダ装置６６は、対象に構成されているので、主に左ホルダ装置６４を参照して説明し、右ホルダ装置６６の対応部品には同一数字にＲを付して説明を省略する。
左ホルダ装置６４は、ホルダ６８L、ベース７０L、付勢装置７２L及び位置調整装置７４Lを含んでいる。
図４に示すように、ホルダ６８Lは、水平方向に所定の間隔で配置した矯正部７６L、７８L、両矯正部間を外方に向かって膨らむ円弧で結んだ凹状の保持面８０L、それら矯正部７６L、保持面８０L及び矯正部７８Lから上方及び外方に向かって伸びる案内面８２Lとを有し、それらは滑らかな曲面で結ばれ、図３に示すように上下方向に伸びる凹部８４Lを有する凸部８６Lである。
なお、外方及び上下方向は、払出部２４を構成するボックス５８の中央部に対する相対的な位置である。
【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  放射線画像撮影装置であって、
被写体に放射線を曝射する放射線源と、
前記放射線源からの放射線を画像データに変換するための２次元検出器と、
前記放射線に対して被写体を相対的に回転させる回転手段と、
前記放射線の散乱線を除去するために前記２次元検出器の前面に配置された取り外し可能なグリッドと、
前記グリッドを挿入して前記２次元検出器で撮像された被写体画像データを、ゲイン画像データに基づいてゲイン補正する補正手段と、
前記ゲイン補正された被写体画像データに対して更にグリッド縞除去処理を行なう画像処理手段と、
前記グリッド縞除去処理された被写体画像データを基に画像の再構成を行なう再構成手段とを備え、
前記ゲイン画像は、前記グリッドを取り外して被写体なしの状態で撮像された画像データであることを特徴とする放射線画像撮影装置。
【請求項２】  前記グリッドは前記放射線源の回転面に略平行に設けられていることを特徴とする請求項１に記載の放射線画像撮影装置。
【請求項３】  前記グリッドは複数のグリッド板によってストライプを形成し、該複数のグリッド板の各々は前記放射線源の回転面に略平行に設けられ、かつ、前記放射線源に略フォーカスするように設けられていることを特徴とする請求項１に記載の放射線画像撮影装置。
【請求項４】  前記グリッドは複数のグリッド板によって格子を形成し、該格子は検出素子の並びに概略平行であり、かつ、前記放射線源に概略フォーカスすることを特徴とする請求項１に記載の放射線画像撮影装置。
【請求項５】  前記グリッドの複数のグリッド板による空間周波数をｆｇ、前記２次元検出器のサンプリングの空間周波数をｆｓ、ｎを自然数とした場合に、前記ｆｇがｆｓ（ｎ＋０．３）〜ｆｓ（ｎ＋０．４）もしくはｆｓ（ｎ＋０．６）〜ｆｓ（ｎ＋０．８）［ｃｙｃ／ｍｍ］であることを特徴とする請求項１に記載の放射線画像撮影装置。
【請求項６】  被写体の周囲を回転し且つ前記被写体に放射線を曝射する放射線源と、前記放射線源からの放射線を検出する複数の検出素子を２次元的に配置した２次元検出器と、前記放射線の散乱線を除去するために前記２次元検出器の前面に配置されたグリッドとを備えた放射線画像撮影装置における再構成方法であって、
前記グリッドを挿入して前記２次元検出器で撮像された被写体画像データを、ゲイン画像データに基づいてゲイン補正する補正工程と、
前記ゲイン補正された被写体画像データに対して更にグリッド縞除去処理を行なう画像処理工程と、
前記グリッド縞除去処理された被写体画像データを基に画像の再構成を行なう再構成工程とを備え、
前記ゲイン画像は、前記グリッドを取り外して被写体なしの状態で撮像された画像データであることを特徴とする放射線画像撮影装置における再構成方法。
【手続補正２】
【補正対象書類名】明細書
【補正対象項目名】００１７
【補正方法】変更
【補正の内容】
【００１７】
【課題を解決するための手段】
上記の目的を達成するための本発明による放射線撮像装置は以下の構成を備える。すなわち、
放射線画像撮影装置であって、
被写体に放射線を曝射する放射線源と、
前記放射線源からの放射線を画像データに変換するための２次元検出器と、
前記放射線に対して被写体を相対的に回転させる回転手段と、
前記放射線の散乱線を除去するために前記２次元検出器の前面に配置された取り外し可能なグリッドと、
前記グリッドを挿入して前記２次元検出器で撮像された被写体画像データを、ゲイン画像データに基づいてゲイン補正する補正手段と、
前記ゲイン補正された被写体画像データに対して更にグリッド縞除去処理を行なう画像処理手段と、
前記グリッド縞除去処理された被写体画像データを基に画像の再構成を行なう再構成手段とを備え、
前記ゲイン画像は、前記グリッドを取り外して被写体なしの状態で撮像された画像データである。
【手続補正３】
【補正対象書類名】明細書
【補正対象項目名】００１８
【補正方法】変更
【補正の内容】
【００１８】
また、上記の目的を達成するための本発明による放射線撮像装置の制御方法は、
被写体の周囲を回転し且つ前記被写体に放射線を曝射する放射線源と、前記放射線源からの放射線を検出する複数の検出素子を２次元的に配置した２次元検出器と、前記放射線の散乱線を除去するために前記２次元検出器の前面に配置されたグリッドとを備えた放射線画像撮影装置における再構成方法であって、
前記グリッドを挿入して前記２次元検出器で撮像された被写体画像データを、ゲイン画像データに基づいてゲイン補正する補正工程と、
前記ゲイン補正された被写体画像データに対して更にグリッド縞除去処理を行なう画像処理工程と、
前記グリッド縞除去処理された被写体画像データを基に画像の再構成を行なう再構成工程とを備え、
前記ゲイン画像は、前記グリッドを取り外して被写体なしの状態で撮像された画像データである。
【手続補正書】
【提出日】平成18年8月7日(2006.8.7)
【手続補正１】
【補正対象書類名】明細書
【補正対象項目名】特許請求の範囲
【補正方法】変更
【補正の内容】
【特許請求の範囲】
【請求項１】  複数の遊技機を設置するための遊技機設置部と、
前記遊技機設置部よりも下方に配設され、前記遊技機の遊技のために使用される遊技媒体を貯留するとともに、該貯留された遊技媒体を流出させる流出部に向けて底面が下方に傾斜する下部貯留領域と、
前記流出部から流出した遊技媒体を揚送する揚送装置と、
前記下部貯留領域の長手方向に向けて延設されるとともに、前記流出部に向けて下方に傾斜するように前記下部貯留領域の上部に配設され、前記下部貯留領域に貯留する遊技媒体を前記流出部に向けて誘導する遊技媒体誘導樋と、
を備える遊技機設置島であって、
前記遊技媒体誘導樋の底面は、所定の幅寸法を有するとともに、幅方向に向けて略水平をなす水平面部と、
該水平面部における幅方向の両端側から外方に向けて上方に傾斜するように連設される傾斜面部と、
から構成され、
前記傾斜面部は、前記水平面部から前記遊技媒体が容易に乗上がり可能な所定角度を有することを特徴とする遊技機設置島。
【請求項２】  前記遊技媒体誘導樋を流下する前記遊技媒体が衝突する衝突面に、衝突時における衝撃を吸収するための衝撃吸収部材が設けられている請求項１に記載の遊技機設置島。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００９７
【補正方法】変更
【補正の内容】
【００９７】
本発明の請求項２は、前記遊技媒体誘導樋（球誘導樋４００Ｒ、４００Ｌ）を流下する前記遊技媒体（パチンコ球）が衝突する衝突面（球受片４１６の衝突面４１６ａ）に、衝突時における衝撃を吸収するための衝撃吸収部材（衝撃吸収部材４２２）が設けられている。
【手続補正７】
【補正対象書類名】明細書
【補正対象項目名】００９８
【補正方法】削除
【補正の内容】
【手続補正８】
【補正対象書類名】明細書
【補正対象項目名】００９９
【補正方法】削除
【補正の内容】
【手続補正９】
【補正対象書類名】明細書
【補正対象項目名】０１００
【補正方法】削除
【補正の内容】
【手続補正１０】
【補正対象書類名】明細書
【補正対象項目名】０１０１
【補正方法】削除
【補正の内容】
【手続補正１１】
【補正対象書類名】明細書
【補正対象項目名】０１１１
【補正方法】変更
【補正の内容】
【０１１１】
（ｂ）請求項２の発明によれば、衝撃吸収部材により衝突面と遊技媒体との衝突時における衝撃が吸収されるため、衝突による磨耗や変形等を防止することが出来るばかりか、衝突音を抑制出来る。
【手続補正１２】
【補正対象書類名】明細書
【補正対象項目名】０１１２
【補正方法】削除
【補正の内容】
【手続補正１３】
【補正対象書類名】明細書
【補正対象項目名】０１１３
【補正方法】削除
【補正の内容】
【手続補正１４】
【補正対象書類名】明細書
【補正対象項目名】０１１４
【補正方法】削除
【補正の内容】
【手続補正１５】
【補正対象書類名】明細書
【補正対象項目名】０１１５
【補正方法】削除
【補正の内容】
【手続補正書】
【提出日】平成18年4月24日(2006.4.24)
【手続補正１】
【補正対象書類名】明細書
【補正対象項目名】００２３
【補正方法】変更
【補正の内容】
【００２３】
このため、図２に示すように、代かき軸１１が矢印Ａ方向に回転動すると、直刃４０が代かき軸１１の中心軸を回転中心として回転して、第１代かき爪２１及び第２代かき爪３１間に位置する藁Ｂを下方へ押圧することができる。そして、図６（ａ）に示す直線状に延びる直刃４０の先端部４０ａが代かき軸１１の中心軸の真下を超えた位置に移動すると、図６（ｂ）に示す直刃４０の押圧面４２による藁Ｂの押圧動作が解除される。このため、図６（ａ）に示すように、挿通孔４１の中心Ｏと直刃４０の先端との距離が距離Ｒで形成されている場合、挿通孔４１の中心から垂直下方に距離Ｒを有した位置に藁Ｂを強制的に移動させることができる。このため、図４に示す代かきロータ１０による藁Ｂの耕土Ｋへのすき込み性をより向上させることができる。
【手続補正２】
【補正対象書類名】明細書
【補正対象項目名】図面の簡単な説明
【補正方法】変更
【補正の内容】
【図面の簡単な説明】
【図１】本発明の一実施の形態に係わる耕耘装置の側面図を示す。
【図２】この耕耘装置の代かきロータの正面図を示す。
【図３】代かき爪の動作を説明するための図を示し、同図（ａ）は、代かきロータの側面図であり、同図（ｂ）は、代かき爪の拡大図である。
【図４】代かきロータの動作を説明するための耕耘装置の側面図を示す。
【図５】代かき爪の動作を説明するための動作説明図を示す。
【図６】耕耘爪を示し、同図（ａ）は、耕耘爪の正面図であり、同図（ｂ）は、耕耘爪の側面図である。
【符号の説明】
１  耕耘装置
１０  代かきロータ
１１  代かき軸
２０  代かき爪
２１  第１代かき爪（代かき爪）
３１  第２代かき爪（代かき爪）
４０  直刃
５０  レーキ体
【手続補正３】
【補正対象書類名】図面
【補正対象項目名】図２
【補正方法】変更
【補正の内容】
【図２】
2004329076.tif 000001
【手続補正書】
【提出日】平成18年4月7日(2006.4.7)
【手続補正１】
【補正対象書類名】明細書
【補正対象項目名】請求項１
【補正方法】変更
【補正の内容】
【請求項１】
圃場に植生しているねぎや残幹などを掘り取る掘り取り装置と、該掘り取り装置により掘り取られたねぎや残幹などを根部を露出させた状態で挟持して搬送する挟持搬送装置と、該挟持搬送装置により搬送されるねぎや残幹などからその根部に付着している土を落とす土落とし装置とを備えた農産物収穫機であって、
前記土落とし装置は、挟持搬送装置により搬送されるねぎや残幹などの根部側に配設され、回転しながらねぎや残幹などの根部に直接接触する構成であることを特徴とする農産物収穫機における土落とし装置。
【手続補正２】
【補正対象書類名】明細書
【補正対象項目名】０００４
【補正方法】変更
【補正の内容】
【０００４】
【発明が解決しようとする課題】
上記先行技術のねぎ収穫機における土落しロ−タは、周知の耕耘ロータ状のものであり、また、土落しドラムは、回転ドラムの外周面に多数の突起を設けたものであって、それぞれねぎの根部と直交する回転軸を有しており、また、土の付いた根部に接触させて土を落とすようにしている。このため、使用条件によっては、ねぎの根が回転軸に巻き付くことや、土落としが不十分になる場合があるといった、改善すべき課題があった。そこで本発明は、上記の課題を解決すべく、土落とし装置の性能を向上させて収穫作業能率を向上させるようにした農産物収穫機における土落とし装置を提供することを目的とする。
【手続補正３】
【補正対象書類名】明細書
【補正対象項目名】０００５
【補正方法】変更
【補正の内容】
【０００５】
【課題を解決するための手段】
上記の目的を達成するために本発明は、以下の構成を有すること特徴とする。
Ａ．圃場に植生しているねぎや残幹などを掘り取る掘り取り装置と、該掘り取り装置により掘り取られたねぎや残幹などを根部を露出させた状態で挟持して搬送する挟持搬送装置と、該挟持搬送装置により搬送されるねぎや残幹などからその根部に付着している土を落とす土落とし装置とを備えた農産物収穫機であって、
前記土落とし装置は、挟持搬送装置により搬送されるねぎや残幹などの根部側に配設され、回転しながらねぎや残幹などの根部に直接接触する構成である。
【手続補正書】
【提出日】平成18年5月25日(2006.5.25)
【手続補正１】
【補正対象書類名】明細書
【補正対象項目名】特許請求の範囲
【補正方法】変更
【補正の内容】
【特許請求の範囲】
【請求項１】
遊戯媒体を用いる電子遊戯装置であって、
遊戯者が前記遊戯媒体を投入する第１の投入手段と、
前記遊戯媒体を視認可能に蓄積する蓄積手段と、
前記蓄積手段に蓄積されている前記遊戯媒体の蓄積量を計測する計測手段と、
前記蓄積手段に蓄積された前記遊戯媒体の払出しの有無の判断基準となる該遊戯媒体の対象ゲームにおける払出量を決定する際の判断基準である第１の基準データを記憶する記憶手段と、
前記第１の基準データに従って前記払出量を決定する払出量決定手段と、
前記第１の投入手段により前記遊戯媒体が投入された場合に、前記払出量と前記蓄積量とを比較して前記蓄積手段に蓄積された前記遊戯媒体の払出しの有無を判定する判定手段と、
を備える電子遊戯装置。
【請求項２】
遊戯媒体を用いる電子遊戯装置であって、
遊戯者が前記遊戯媒体を投入する第１の投入手段と、
前記遊戯媒体を視認可能に蓄積する蓄積手段と、
前記蓄積手段に別の前記遊戯媒体を投入する第２の投入手段と、
前記蓄積手段に蓄積された前記遊戯媒体の払出しの有無の判断基準となる該遊戯媒体の対象ゲームにおける払出量を決定する際の判断基準である第１の基準データと、前記第２の投入手段により前記蓄積手段へ投入される前記遊戯媒体の投入量を決定する際の判断基準である第２の基準データと、を記憶する記憶手段と、
前記第２の基準データに従って前記投入量を決定する投入量決定手段と、
前記投入量決定手段の決定に基づいて前記第２の投入手段を駆動する駆動手段と、
前記蓄積手段に蓄積されている前記遊戯媒体の蓄積量を計測する計測手段と、
前記第１の基準データに従って前記払出量を決定する払出量決定手段と、
前記払出量と前記蓄積量とを比較して前記蓄積手段に蓄積された前記遊戯媒体の払出しの有無を判定する判定手段と、
を備えることを特徴とする電子遊戯装置。
【請求項３】
前記記憶手段が、前記対象ゲームを開始する前に前記蓄積手段へ投入すべき前記遊戯媒体の初期投入量を決定する際の判断基準である第３の基準データを記憶するものであり、
前記対象ゲームが開始される前に前記第３の基準データに従って前記初期投入量を決定し、前記第２の投入手段が該初期投入量の遊戯媒体を前記蓄積手段に投入するように前記駆動手段を制御する初期投入手段、をさらに備える、
請求項２記載の電子遊戯装置。
【請求項４】
前記第１の投入手段から前記遊戯媒体が投入された場合に、予め設定された確率データに従って抽選処理を実行する抽選処理手段をさらに備え、
前記判定手段は、前記抽選処理手段による抽選結果が所定の条件に合致する場合に、前記蓄積手段に蓄積された前記遊戯媒体の払出しの有無を判定する、
請求項１〜３のいずれか１項記載の電子遊戯装置。
【請求項５】
前記投入量決定手段は、前記抽選処理手段による抽選結果が所定の条件に合致する場合に、前記第２の基準データに従って前記投入量を決定し、前記第２の投入手段が該投入量の遊戯媒体を前記蓄積手段に投入するように前記駆動手段を制御する、
請求項４記載の電子遊戯装置。
【請求項６】
遊戯者の操作により操作信号を入力する操作入力手段と、
前記操作信号に基づいて前記対象ゲームの結果を得るように定義された電子遊戯プログラムを実行する電子遊戯処理手段と、
をさらに備え、
前記判定手段は、前記対象ゲームの結果に基づいて、前記蓄積手段に蓄積された前記遊戯媒体の払出しの有無を判定する、
請求項１〜５のいずれか１項記載の電子遊戯装置。
【請求項７】
前記初期投入手段は、前記判定手段が前記対象ゲームの結果に基づいて前記蓄積手段に蓄積された前記遊戯媒体の払出しの有無を判定した場合において、該遊戯媒体の払い出しが無であるときに、前記初期投入量よりも大きい値を次回の対象ゲームの初期投入量として設定する、
請求項６記載の電子遊戯装置。
【請求項８】
前記記憶手段が、前記蓄積手段に蓄積可能な前記遊戯媒体の限界量を記憶するものであり、
前記判定手段は、前記蓄積量が前記限界量以上であるか否かを判定する、
請求項１〜７のいずれか１項記載の電子遊戯装置。
【請求項９】
前記第１の投入手段から投入された前記遊戯媒体が通過可能な通過口と、
前記通過口を通過した前記遊戯媒体を検出する検出手段と、
をさらに備え、
前記判定手段は、前記検出手段により前記遊戯媒体が検出された場合に、前記蓄積手段に蓄積された前記遊戯媒体の払出しの有無を判定する、
請求項１〜８のいずれか１項記載の電子遊戯装置。
【請求項１０】
遊戯者が投入口に投入した遊戯媒体を検出する投入検出手段と、
前記投入口に投入された前記遊戯媒体が通過可能な入賞口を通過した該遊戯媒体を検出する入賞検出手段と、
第１の条件により決められた初期遊戯媒体量を蓄積容器に初期投入する初期投入手段と、
前記入賞検出手段により前記遊戯媒体が検出される度に、第２の条件により決められた追加遊戯媒体量を前記蓄積容器に追加投入する追加手段と、
前記蓄積容器に蓄積された前記遊戯媒体の蓄積量をカウントするカウント手段と、
前記蓄積容器に蓄積された前記遊戯媒体を払い出す払出手段と、
前記蓄積容器に蓄積された前記遊戯媒体を払い出す際の基準となる前記遊戯媒体の基準量を第３の条件により決定し、該基準量と前記蓄積量とを比較し、前記蓄積容器に蓄積された前記遊戯媒体の払い出しの有無を決定する制御手段と、
を備える遊戯媒体ゲーム機。
【請求項１１】
遊戯者が投入口に投入した遊戯媒体を検出する投入検出手段と、
第１の条件により決められた初期遊戯媒体量を蓄積容器に初期投入する初期投入手段と、
前記投入検出手段により前記遊戯媒体が検出される度に、第２の条件により決められた追加遊戯媒体量を前記蓄積容器に追加投入する追加手段と、
前記蓄積容器に蓄積された前記遊戯媒体の蓄積量をカウントするカウント手段と、
前記蓄積容器に蓄積された前記遊戯媒体を払い出す払出手段と、
前記蓄積容器に蓄積された前記遊戯媒体を払い出す際の基準となる前記遊戯媒体の基準量を第３の条件により決定し、該基準量と前記蓄積量とを比較し、前記蓄積容器に蓄積された前記遊戯媒体の払い出しの有無を決定する制御手段と、
を備える遊戯媒体ゲーム機。
【請求項１２】
前記遊戯者が操作する操作手段を備え、
前記制御手段は、前記遊戯媒体の払い出しを有と決定した場合に、前記遊戯者の操作に基づく対象ゲームを実行し、該対象ゲーム結果が所定の条件に合致する場合には、前記遊戯媒体の払い出しを有と決定し、該所定の条件に合致しない場合には、前記遊戯媒体の払い出しを無と決定し、かつ、前記基準量を前記蓄積量よりも多くなるように決定する、
請求項１０または１１記載の遊戯媒体ゲーム機。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】
複数の振動子から形成される探触子と、この探触子から被検体へ超音波を送信する送信回路系と、前記探触子を介して前記被検体からの反射エコー信号を受信する受信回路系と、前記振動子、前記送信回路系及び前記受信回路系の間で伝達される信号を主スイッチにて切り替えるマルチプレクサ回路を収容する少なくとも１つのマルチプレクサＩＣとを備え、前記マルチプレクサＩＣは、前記主スイッチの切り替え制御を行う制御回路を収容することを特徴とする超音波診断装置。
【請求項２】 
前記制御回路は、所定のクロックパルスの入力によって順次エンコード出力するシフトレジスタ回路系と、このシフトレジスタ回路系のエンコード出力をデコードして前記主スイッチの任意の切り替え信号を生成するデコード回路系とを備えたことを特徴とする請求項１に記載の超音波診断装置。
【請求項３】
前記シフトレジスタ回路系に一時蓄えられたマルチプレクサ接続情報を次段のマルチプレクサＩＣへ出力可能に接続されたことを特徴とする請求項２に記載の超音波診断装置。
【手続補正２】
【補正対象書類名】明細書
【補正対象項目名】０００９
【補正方法】変更
【補正の内容】
【０００９】
【課題を解決するための手段】
上記目的は、複数の振動子から形成される探触子と、この探触子から被検体へ超音波を送信する送信回路系と、前記探触子を介して前記被検体からの反射エコー信号を受信する受信回路系と、前記振動子、前記送信回路系及び前記受信回路系の間で伝達される信号を主スイッチにて切り替えるマルチプレクサ回路を収容する少なくとも１つのマルチプレクサＩＣとを備え、前記マルチプレクサＩＣは、前記主スイッチの切り替え制御を行う制御回路を収容することを特徴とする超音波診断装置により達成される。
【手続補正書】
【提出日】平成18年3月6日(2006.3.6)
【手続補正１】
【補正対象書類名】明細書
【補正対象項目名】請求項３
【補正方法】変更
【補正の内容】
【請求項３】
植毛された動物毛及び合成繊維を一つにまとめて若しくは複数個にまとめて極細繊維製の被覆部で被覆した形態を取ることを特徴とする、請求項２に記載の洗顔用具。
【手続補正２】
【補正対象書類名】明細書
【補正対象項目名】０００７
【補正方法】変更
【補正の内容】
【０００７】
【課題の解決手段】
本発明者らは、この様な状況に鑑みて、刺激感を勝って心地よさが伴う、角栓の除去手段を求めて、鋭意研究努力を重ねた結果、洗顔用具であって、弾性支持体部と該弾性支持体部を被覆する、極細繊維製の被覆部とするような用具を用いて洗顔することにより、この様な角栓の除去が可能であることを見出し、発明を完成させるに至った。即ち、本発明は、以下に示す技術に関するものである。
（１）洗顔用具であって、弾性支持体部と該弾性支持体部を被覆する、極細繊維製の被覆部とを有することを特徴とする、洗顔用具。
（２）弾性支持体部が、剛体に動物毛及び／又は合成繊維を植毛したもの或いはスポンジであることを特徴とする、（１）に記載の洗顔用具。
（３）植毛された動物毛及び合成繊維を一つにまとめて若しくは複数個にまとめて極細繊維製の被覆部で被覆した形態を取ることを特徴とする、（２）に記載の洗顔用具。
（４）更に、保持部を備えることを特徴とする、請求項１〜３何れか１項に記載の洗顔用具。
（５）上面に丸みを持たせたスポンジを極細繊維製の被覆部で被覆した形態を取ることを特徴とする、（２）に記載の洗顔用具。
（６）エステティックの洗顔用であることを特徴とする、（１）〜（５）何れか１項に記載の洗顔用具。
【手続補正３】
【補正対象書類名】明細書
【補正対象項目名】０００８
【補正方法】変更
【補正の内容】
【０００８】
【発明の実施の形態】
本発明の洗顔用具は、洗顔用具であって、弾性支持体部と該弾性支持体部を被覆する、極細繊維製の平面加工体からなる被覆部とを有することを特徴とする。弾性支持体部としては、馬毛、豚毛、穴熊毛、狐毛等の獣毛或いはアクリル樹脂、ナイロン樹脂などの合成繊維の毛束が好ましく例示できる。毛束を構成する毛の形状としては、０．１〜２ｍｍの太さで、長さが１〜１０ｃｍのものが好適に例示できる。かかる毛束は、木製、樹脂製、金属製或いはこれらの複合材料からなる部材に植毛されて固定されていることが好ましい。この様な弾性支持体部とその固定部材の組合せは、例えば、洗顔用のブラシ等を想起することが出来る。又、かかる弾性支持体はスポンジのようなものでも良い。この様なスポンジとしてはファンデーションを塗布する為のパフなどの形状を想起することが出来る。これに擦過の時の支持体としての柄などを取り付ける形態が好ましい。本発明の洗顔用具は、洗顔用のブラシやファンデーション用のパフに、極細繊維製の平面加工体からなる被覆部を被覆させた形態に近似することが出来る。ここで、平面加工体としては、極細繊維を織って加工した布や織らずに加工した不織布などが好適に例示でき、特に好ましいものは、製造が容易である不織布である。又、前記極細繊維としては、１ｄｔｅｘ以下の細さのものであれば、特段の限定無く使用することが出来、その材質は、通常繊維で使用されているものであれば特段の限定をされずに適用でき、例えば、アクリル系繊維、ポリエステル系繊維、ナイロン系繊維などが好適に例示でき、中でもアクリル系繊維とポリエステル系繊維が特に好適に例示できる。かかる極細繊維の平面加工体としては、既に市販されているものも存し、かかる市販品を購入し、縫製など加工して使用することも出来る。本発明で使用する好ましい極細繊維の平面加工体としては、例えば、クラレ株式会社から販売されている「エルモザ」、トーレ株式会社から販売されている「トレシー」、旭化成株式会社から販売されている「洗剤イヤ子さん」、カネボウ株式会社から販売されている「ベルセイム２１」等が好ましく例示できる。これらは何れも、極細繊維の不織布である。本発明の洗顔用具において、弾性支持体を被覆する為の前記極細繊維の平面加工体の形状としては、該平面加工体を片方に底面の存する円筒状に縫製又は接着加工して、非底面側から弾性支持体に被覆し、底面と弾性支持体とが接触するように被覆することが好ましい。この時、弾性支持体の全てを束ねて被覆しても良いし、幾つかの束に分け、束毎に被覆しても良い。この様な円筒形等に加工した極細繊維の平面加工体の好ましい形状は、底面積が０．５〜３０ｃｍ2であり、高さが１〜１０ｃｍのものである。本発明の洗顔用具は、前記弾性支持体に前記極細繊維の平面加工体を円筒状などに加工した、立体加工体をかぶせることにより、製造できる。かくして得られた、本発明の洗顔用具は、洗顔時に極めて細かい泡を生じ、毛穴の中に入り込み、毛穴に存する汚れを落とすと同時に、その極めて大きな表面積故に、表面に存する汚れを、すすぎにより速やかに流し去ることが出来る為、洗浄効果に優れながら、一次刺激の発現が極めて少ない特質を有する。又、その肌に接触するとき��滑らかさから、洗顔時に大いなる心地よさを提供することが出来る。この為、エステティック施術に於ける、洗顔時に使用することが好ましい。これは、本発明の洗顔用具での洗浄により、皮膚上の汚れや老廃物を除去するばかりではなく、心地よさを被施術者に与えて、リラックスさせ、続くマッサージなどの施術効果を高めることが出来る為である。又、本発明の洗顔用具に適用できる洗顔用の化粧料としては、脂肪酸ナトリウム石鹸を主成分とする固形石鹸、脂肪酸カリウム石鹸を主成分とするクリーム状洗浄料、脂肪酸トリエタノールアミン石鹸やアルキルベタイン等の両性界面活性剤を主成分とする液状洗浄料など、通常化粧料で洗顔用に使用されているものであれば特段の限定無く適用することが出来る。特に好ましいものは、脂肪酸カリウム石鹸を主成分とする、クリーム状の洗顔料である。これは、かかる洗浄料が、本発明の洗顔用具により、極めて微細な泡を生ずる為である。
【手続補正書】
【提出日】平成18年5月9日(2006.5.9)
【手続補正１】
【補正対象書類名】明細書
【補正対象項目名】請求項１０
【補正方法】変更
【補正の内容】
【請求項１０】
前記ゲーム進行度合い検出手段は、各プレイヤオブジェクトの順位を検出し、
前記親ゲーム機のコンピュータを、前記ゲーム進行度合い検出手段に基づいて任意のプレイヤオブジェクトを指定するプレイヤオブジェクト指定手段としてさらに機能させ、
前記表示情報データ選択手段は、前記指定されたプレイヤオブジェクトに対してゲームの進行に関連する表示情報データを前記複数の表示情報データから選択することを特徴とする請求項９記載のゲームプログラム。
【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】  
遊技球が打ち込まれる遊技領域を有する遊技盤と、前記遊技盤の前記遊技領域に形成された貫通穴に配設された遊技物品と、を備えた遊技機において、
前記遊技物品は、前記遊技盤に直接に取り付けられる台板部材と、前記台板部材に取り付けられる装飾部材と、前記遊技物品の所定箇所を前面から裏面へ連通させる開口部と、を備え、
さらに前記遊技物品には、前記開口部に配設され、遊技球の前記遊技物品裏面への流入を規制する規制部材が取り付けられている
ことを特徴とする遊技機。
【請求項２】  
請求項１に記載の遊技機において、
前記遊技盤の前記遊技領域には、前記遊技物品とは異なる第２遊技物品を備え、
前記第２遊技物品は、前記遊技盤に直接に取り付けられる第２台板部材と、前記第２台板部材に取り付けられる第２装飾部材と、前記第２遊技物品の所定箇所を前面から裏面へ連通させる第２開口部と、を備え、
さらに前記第２遊技物品には、前記第２開口部に配設され、遊技球の前記遊技物品裏面への通路を有する入賞部材が取り付けられており、
前記規制部材と前記入賞部材とを交換可能としている
ことを特徴とする遊技機。
【手続補正書】
【提出日】平成18年8月21日(2006.8.21)
【手続補正１】
【補正対象書類名】明細書
【補正対象項目名】特許請求の範囲
【補正方法】変更
【補正の内容】
【特許請求の範囲】
【請求項１】  
遊技球が転動可能である転動面を備えた遊技機において、
前記転動面は複数個設けられており、
かつ、前記複数個の転動面は、遊技球が進行していく順に配設されており、
前記複数個の転動面のうちの少なくとも一つの転動面は、当該転動面への正規の遊技球経路とは異なる経路からの遊技球を当該転動面に誘導する誘導手段を備えている
ことを特徴とする遊技機。
【請求項２】  
請求項１に記載の遊技機において、
前記誘導手段は、遊技球を転動面に誘導する誘導路の少なくとも一部を、前記の異なる経路からの遊技球が取り込み可能なように、前記誘導手段を有する転動面から所定方向に突出させた誘導突出部である
ことを特徴とする遊技機。
【請求項３】  
請求項２に記載の遊技機において、
さらに、前記誘導手段は、前記の異なる経路からの遊技球が取り込み可能なように、前記誘導手段を有する転動面から前記誘導突出部を所定方向に突出させた突出状態と、前記突出状態に比べて遊技球の取り込みが劣るように前記誘導突出部の突出量を控えた待機状態とに可変する変位手段を備えている
ことを特徴とする遊技機。